(57)【要約】【課題】簡便な構成でリアルタイムの動作管理、メンテナンス及び各種サービスの提供が可能な組み合わせ計計量機を実現する。【解決手段】複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該組み合わせ計量機は通信手段を有し、計量機及びその各部品の動作情報及びメンテナンス指示情報を該通信手段を介して送受信する。【選択図】図１
2018072179.tif 000002
【特許請求の範囲】
【請求項１】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該組み合わせ計量機は通信手段を有し、
計量機及びその各部品の動作情報及びメンテナンス指示情報を該通信手段を介して送受信すること特徴とする、
組み合わせ計量機。
【請求項２】
該通信手段は、
インターネット或いは携帯電話ネットワークを介してホスト側と情報通信を行うことを特徴とする、
請求項１記載の組み合わせ計量機。
【請求項３】
該計量機及びその各部品の動作情報は、
ロードセルの動作安定状態の情報を含むことを特徴とする、
請求項１又は２記載の組み合わせ計量機。
【請求項４】
該メンテナンス指示情報は、
該計量機及びその各部品の動作情報に基づき、該計量機のリセットを含むメンテナンス或いは復旧動作をリモートで行なう指示情報を含むことを特徴とする、
請求項１乃至３の何れか一に記載の組み合わせ計量機。
【請求項５】
該メンテナンス指示情報は、
該計量機のロック情報を含むことを特徴とする、
請求項１乃至４の何れか一に記載の組み合わせ計量機。
【請求項６】
該メンテナンス指示情報は該計量機のロック情報を含み、
ホスト側のリース料金の回収情報と連動して、料金の支払いがなされない場合に該計量機のロック動作が行われることを特徴とする、
請求項５記載の組み合わせ計量機。
【請求項７】
該ホスト側にはコンピューター、サーバー或いは情報機器が接続されてなり、
ホスト側に於いて計量機及びその各部品の動作情報を元にポイント情報を蓄積し、
機会に応じて該ポイント情報に基づいたサービスを行なうことができることを特徴とする、
請求項１乃至６の何れか一に記載の組み合わせ計量機。
【請求項８】
該該計量機及びその各部品の動作情報は、
使用度数計測機能を含むことを特徴とする、
請求項１乃至８の何れか一に記載の組み合わせ計量機。
【請求項９】
該該計量機及びその各部品の動作情報は、
使用度数計測機能を含み、
ホスト側に於いて該使用度数情報に応じて課金情報を生成することができることを特徴とする、
請求項８記載の組み合わせ計量機。
【請求項１０】
該組み合わせ計量機の計量皿は、
樹脂製であることを特徴とする、
請求項１乃至９の何れか一に記載の組み合わせ計量機。
【請求項１１】
該組み合わせ計量機の計量皿は、
二列に配置されてなり、
且つ、その配置が交互になるようにずらして配置されることを特徴とする、
請求項１乃至１０の何れか一に記載の組み合わせ計量機。
【請求項１２】
該組み合わせ計量機の計量皿は、
一列に配置されてなり、
且つ、各列の計量皿の両側に指示機構が備えられ、
各計量皿に関する指示が両側に対して同時に行われることを特徴とする、
請求項１乃至１０の何れか一に記載の組み合わせ計量機。
【請求項１３】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１０記載の組み合わせ計量機。
【請求項１４】
該計量皿は、
一部あるいは全体が透光性の部材で形成され、
該透光性の部材の部位から該選択された最適組み合わせの重量計測部位を示す指示機構の指示を視認しうることを特徴とする、
請求項１乃至１３のいずれか一に記載の組み合わせ計量機。
【請求項１５】
該組み合わせ計量機は、
重量計測部位における測定重量データを取得し、該重量が規定重量以上であり且つ許容範囲内であることを計算する手段と、
該重量が前記範囲内であることを示す指示機構を有し、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えることを特徴とする、
請求項１乃至１４のいずれか一に記載の組み合わせ計量機。
【請求項１６】
該組み合わせ計量機において、
該選択された最適組み合わせ或いは近似値の範囲に包含される重量組み合わせの重量計測部位を示す指示機構が灯火によるものであって、
該選択された最適組み合わせの重量計測部位を示す場合は指示機構の灯火が連続点灯し、
該近似値の範囲に包含される重量組み合わせの重量計測部位を示す場合は指示機構の灯火が点滅することを特徴とする、
請求項１乃至１５のいずれか一に記載の組み合わせ計量機。
【請求項１７】
該組み合わせ計量機において、
該選択された最適組み合わせ或いは近似値の範囲に包含される重量組み合わせの重量計測部位を示す指示機構が多色に点灯する着色灯火であって、
該選択された最適組み合わせの重量計測部位を示す場合の指示機構の点灯色と、
該近似値の範囲に包含される重量組み合わせの重量計測部位を示す場合の指示機構の点灯色が異なることを特徴とする、
請求項１６記載の組み合わせ計量機。
【請求項１８】
該組み合わせ計量機において、
該指示機構の灯火は、
ＬＥＤによることを特徴とする、
請求項１６又は１７に記載の組み合わせ計量機。
【請求項１９】
該組み合わせ計量機において、
該選択された最適組み合わせ或いは近似値の範囲に包含される重量組み合わせの重量計測部位を示す指示機構は、
音声によることを特徴とする、
請求項１５記載の組み合わせ計量機。
【請求項２０】
該組み合わせ計量機において、
該選択された最適組み合わせ或いは近似値の範囲に包含される重量組み合わせの重量計測部位を示す指示機構は、
ブザー又はスピーカーであることを特徴とする、
請求項１９記載の組み合わせ計量機。
【請求項２１】
該組み合わせ計量機において、
規定重量範囲内の最適組み合わせが存在しない場合であって近似値の範囲に包含される重量組み合わせに係る組み合わせ重量を表示する表示機構は、
デジタル表示装置であることを特徴とする、
請求項１５乃至１８の何れか一に記載の組み合わせ計量機。
【請求項２２】
該重量計測部位に用いる計量皿は、サイズの異なる計量皿に交換して用いる事ができることを特徴とする、
請求項１乃至２１のうちのいずれか一に記載の防水機構を有する組み合わせ計量機。
【請求項２３】
該重量計測部位に用いる計量皿は、サイズの異なる計量皿を混在して用い、
親子計量ができることを特徴とする、
請求項２２記載の組み合わせ計量機。
【請求項２４】
該重量計測部位に用いる計量皿は、形状の異なる計量皿に交換して用いる事ができることを特徴とする、
請求項１乃至２３のうちのいずれか一に記載の組み合わせ計量機。
【発明の詳細な説明】
【技術分野】
【０００１】
本発明は、野菜等を規定の重量以上且つ最小となるような単体及び／又は組み合わせを秤量するための計量機において、簡便な構成でリアルタイムの動作管理、メンテナンス及び各種サービスの提供が可能な組み合わせ計計量機に関するものである。
【背景技術】
【０００２】
食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
しかし、個別の農家や小規模の出荷組合等に於いては大規模で高価な自動機の組み合わせ計量機を導入する余裕はなく、手作業による秤量選別が行われているのが実情である。また、単体の計量機或いは組み合わせ計量機を問わず、計量対象に水滴の付着した野菜類、泥や土の付着した野菜類、水分含有量の多い食品類或いは軟弱な食品類に対応して、防水構造により水分及び／又は汚染物の測定部への侵入を防止し、安定した計測を行えるものは非常に高価な装置であり、、個別の農家や小規模の出荷組合等に於いては導入が難しかった。。
【０００５】
さらに、個別の農家や小規模の出荷組合等に於いては代替機の整備等は困難であり、リアルタイムの動作管理、メンテナンス及び各種サービスの提供が求められていた。
【先行技術文献】
【特許文献】
【０００６】
【特許文献１】特開２０１４ー１３９５５２号公報
【特許文献２】特開２０１３ー２５３８６２号公報
【特許文献３】特開２０１１ー２３７４１９号公報
【特許文献４】特開２０１１ー４７８９１号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは非常に困難である。また、個別の農家や小規模の出荷組合等では頻繁な対象商品の切り替えが必要で、その段取り変更は全自動機では却って煩雑となってしまう。
【０００８】
さらに、個別の農家や小規模の出荷組合等に於いては代替機の整備等は困難であり、リアルタイムの動作管理、メンテナンス及び各種サービスの提供が求められていた。
【０００９】
これらの課題を解決するため、簡便な構成でリアルタイムの動作管理、メンテナンス及び各種サービスの提供が可能な組み合わせ計計量機を実現することが急務となっている。
【課題を解決するための手段】
【００１０】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該組み合わせ計量機は通信手段を有し、計量機及びその各部品の動作情報及びメンテナンス指示情報を該通信手段を介して送受信すること特徴とする、組み合わせ計量機である。
【００１１】
また本発明は、該通信手段が、インターネット或いは携帯電話ネットワークを介してホスト側と情報通信を行うことを特徴とする。
【００１２】
また本発明は、該計量機及びその各部品の動作情報が、ロードセルの動作安定状態の情報を含むことを特徴とする。
【００１３】
また本発明は、該メンテナンス指示情報が、該計量機及びその各部品の動作情報に基づき、該計量機のリセットを含むメンテナンス或いは復旧動作をリモートで行なう指示情報を含むことを特徴とする。
【００１４】
また本発明は、該メンテナンス指示情報が、該計量機のロック情報を含むことを特徴とする。さらに、該メンテナンス指示情報が該計量機のロック情報を含み、ホスト側のリース料金の回収情報と連動して、料金の支払いがなされない場合に該計量機のロック動作が行われることを特徴とする。
【００１５】
また本発明は、該ホスト側にはコンピューター、サーバー或いは情報機器が接続されてなり、ホスト側に於いて計量機及びその各部品の動作情報を元にポイント情報を蓄積し、機会に応じて該ポイント情報に基づいたサービスを行なうことができることを特徴とする。
【００１６】
また本発明は、該該計量機及びその各部品の動作情報が、使用度数計測機能を含むことを特徴とする。さらに、該該計量機及びその各部品の動作情報が使用度数計測機能を含み、ホスト側に於いて該使用度数情報に応じて課金情報を生成することができることを特徴とする。
【００１７】
また本発明は、該組み合わせ計量機の計量皿が樹脂製であることを特徴とする。
【００１８】
また本発明は、該組み合わせ計量機の計量皿が二列に配置されてなり、且つ、その配置が交互になるようにずらして配置されることを特徴とする。
【００１９】
また本発明は、該組み合わせ計量機の計量皿が一列に配置されてなり、且つ、各列の計量皿の両側に指示機構が備えられ、各計量皿に関する指示が両側に対して同時に行われることを特徴とする。
【００２０】
ここで本発明に於いては、該組み合わせ計量機の計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されることが望ましい。
【００２１】
また本発明は、該計量皿の一部あるいは全体が透光性の部材で形成され、該透光性の部材の部位から該選択された最適組み合わせの重量計測部位を示す指示機構の指示を視認しうることを特徴とする。
【００２２】
また本発明は、該組み合わせ計量機において、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００２３】
また本発明は、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００２４】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００２５】
また本発明は、該指示機構の灯火がＬＥＤによることを特徴とする。或いは、該選択された最適組み合わせ或いは近似値の範囲に包含される重量組み合わせの重量計測部位を示す指示機構が音声によることを特徴とし、さらに、該選択された最適組み合わせ或いは近似値の範囲に包含される重量組み合わせの重量計測部位を示す指示機構がブザー又はスピーカーであることを特徴とする。
【００２６】
また本発明は、規定重量範囲内の最適組み合わせが存在しない場合であって近似値の範囲に包含される重量組み合わせに係る組み合わせ重量を表示する表示機構が、デジタル表示装置であることを特徴とする。
【００２７】
また本発明は、該重量計測部位に用いる計量皿としてサイズの異なる計量皿を混在して用い、親子計量ができることを特徴とする。
【００２８】
また本発明は、該重量計測部位に用いる計量皿が、形状の異なる計量皿に交換して用いる事ができることを特徴とする。
【発明の効果】
【００２９】
本発明に係る組み合わせ計量機は、簡便な構成でリアルタイムの動作管理、メンテナンス及び各種サービスの提供が可能な組み合わせ計計量機を実現することにより計量機の用途を拡大し、作業効率を向上させ、もって社会に資することが出来る。
【図面の簡単な説明】
【００３０】
【図１】図１は、本発明に係る組み合わせ計量機の通信手段を示す概要図である。
【発明を実施するための形態】
【００３１】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該組み合わせ計量機は通信手段を有し、計量機及びその各部品の動作情報及びメンテナンス指示情報を該通信手段を介して送受信すること特徴とする、組み合わせ計量機である。かかる機構を有することにより、簡便な構成でリアルタイムの動作管理、メンテナンス及び各種サービスの提供が可能となった。
【００３２】
また本発明は、該通信手段が、インターネット或いは携帯電話ネットワークを介してホスト側と情報通信を行うことを特徴とする。かかる構成により、さらに安価且つ簡便に機能を実現できる。
【００３３】
また本発明は、該計量機及びその各部品の動作情報が、ロードセルの動作安定状態の情報を含むことを特徴とする。
【００３４】
また本発明は、該メンテナンス指示情報が、該計量機及びその各部品の動作情報に基づき、該計量機のリセットを含むメンテナンス或いは復旧動作をリモートで行なう指示情報を含むことを特徴とする。これらの機構を有することにより、特に簡便な構成でリアルタイムの動作管理及びメンテナンスサービスの提供が可能となった。
【００３５】
また本発明は、該メンテナンス指示情報が、該計量機のロック情報を含むことを特徴とする。さらに、該メンテナンス指示情報が該計量機のロック情報を含み、ホスト側のリース料金の回収情報と連動して、料金の支払いがなされない場合に該計量機のロック動作が行われることを特徴とする。
【００３６】
また本発明は、該ホスト側にはコンピューター、サーバー或いは情報機器が接続されてなり、ホスト側に於いて計量機及びその各部品の動作情報を元にポイント情報を蓄積し、機会に応じて該ポイント情報に基づいたサービスを行なうことができることを特徴とする。
【００３７】
また本発明は、該該計量機及びその各部品の動作情報が、使用度数計測機能を含むことを特徴とする。さらに、該該計量機及びその各部品の動作情報が使用度数計測機能を含み、ホスト側に於いて該使用度数情報に応じて課金情報を生成することができることを特徴とする。これらの機構を有することにより、さまざまな顧客管理及びサービスの提供が可能となった。
【００３８】
また本発明は、該組み合わせ計量機の計量皿が樹脂製であることを特徴とする。
【００３９】
また本発明は、該組み合わせ計量機の計量皿が二列に配置されてなり、且つ、その配置が交互になるようにずらして配置されることを特徴とする。
【００４０】
また本発明は、該組み合わせ計量機の計量皿が一列に配置されてなり、且つ、各列の計量皿の両側に指示機構が備えられ、各計量皿に関する指示が両側に対して同時に行われることを特徴とする。
【００４１】
ここで本発明に於いては、該組み合わせ計量機の計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されることが望ましい。
【００４２】
また本発明は、該計量皿の一部あるいは全体が透光性の部材で形成され、該透光性の部材の部位から該選択された最適組み合わせの重量計測部位を示す指示機構の指示を視認しうることを特徴とする。
【００４３】
また本発明は、該組み合わせ計量機において、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００４４】
また本発明は、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００４５】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００４６】
また本発明は、該指示機構の灯火がＬＥＤによることを特徴とする。或いは、該選択された最適組み合わせ或いは近似値の範囲に包含される重量組み合わせの重量計測部位を示す指示機構が音声によることを特徴とし、さらに、該選択された最適組み合わせ或いは近似値の範囲に包含される重量組み合わせの重量計測部位を示す指示機構がブザー又はスピーカーであることを特徴とする。
【００４７】
また本発明は、規定重量範囲内の最適組み合わせが存在しない場合であって近似値の範囲に包含される重量組み合わせに係る組み合わせ重量を表示する表示機構が、デジタル表示装置であることを特徴とする。
【００４８】
また本発明は、該重量計測部位に用いる計量皿としてサイズの異なる計量皿を混在して用い、親子計量ができることを特徴とする。
【００４９】
また本発明は、該重量計測部位に用いる計量皿が、形状の異なる計量皿に交換して用いる事ができることを特徴とする。
【００５０】
本発明に係る組み合わせ計量機は、簡便な構成でリアルタイムの動作管理、メンテナンス及び各種サービスの提供が可能な組み合わせ計計量機を実現することにより、計量機の用途を拡大することを可能とし、作業効率を向上させ、個別の農家や小規模の出荷組合等に於いても導入可能となり、産業上非常に有効である。
【実施例】
【００５１】
図１は、本発明に係る組み合わせ計量機の通信手段を示す概要図である。本発明に係る組み合わせ計量機３は通信手段２を介してサーバ或いはコンピュータ１に接続され、情報伝達を行えるようになっている。
【００５２】
本発明に於いては、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該組み合わせ計量機は通信手段を有し、計量機及びその各部品の動作情報及びメンテナンス指示情報を該通信手段を介して送受信するように構成されている。
【００５３】
かかる機構を有することにより、簡便な構成でリアルタイムの動作管理、メンテナンス及び各種サービスの提供が可能となった。
【００５４】
ここで、該通信手段として、インターネット或いは携帯電話ネットワークを介してホスト側と情報通信を行うことにより、安価且つ簡便に機能を実現できる。この場合、本発明に係る組み合わせ計量機３と顧客の携帯電話、スマートフォン或いはタブレット端末などを接続し、通信は携帯電話、スマートフォン或いはタブレット端末などから行うことも有効である。。
【００５５】
計量機及びその各部品の動作情報は、ロードセルの動作安定状態の情報を含み、メンテナンスに活用される。メンテナンス指示情報は、該計量機及びその各部品の動作情報に基づき、該計量機のリセットを含むメンテナンス或いは復旧動作をリモートで行なう指示情報を含む。これらにより、使用者には困難な故障解析やメンテナンス、復旧動作などがリモートで行えるようになり、利便性が格段に向上した。
【００５６】
メンテナンス指示情報は、該計量機のロック情報を含むことも可能である。さらに、該メンテナンス指示情報が該計量機のロック情報を含み、ホスト側のリース料金の回収情報と連動して、料金の支払いがなされない場合に該計量機のロック動作が行われるようにすることも可能である。これらにより、顧客管理の利便性が向上し、特にリースによる機器提供の場合の利便性が向上して経済的な効果があった。
【００５７】
また、ホスト側に於いて計量機及びその各部品の動作情報を元にポイント情報を蓄積し、機会に応じて該ポイント情報に基づいたサービスを行なうことも有効であった。これにより、顧客満足度の向上が図れる。
【００５８】
また本発明は、該該計量機及びその各部品の動作情報が、使用度数計測機能を含むことを特徴とする。さらに、該該計量機及びその各部品の動作情報が使用度数計測機能を含み、ホスト側に於いて該使用度数情報に応じて課金情報を生成することができることを特徴とする。これらの機構を有することにより、さまざまな顧客管理及びサービスの提供が可能となった。
【００５９】
また本発明は、該組み合わせ計量機の計量皿が樹脂製であることを特徴とする。
【００６０】
また本発明は、該組み合わせ計量機の計量皿が二列に配置されてなり、且つ、その配置が交互になるようにずらして配置されることを特徴とする。
【００６１】
また本発明は、該組み合わせ計量機の計量皿が一列に配置されてなり、且つ、各列の計量皿の両側に指示機構が備えられ、各計量皿に関する指示が両側に対して同時に行われることを特徴とする。
【００６２】
ここで本発明に於いては、該組み合わせ計量機の計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されることが望ましい。
【００６３】
また本発明は、該計量皿の一部あるいは全体が透光性の部材で形成され、該透光性の部材の部位から該選択された最適組み合わせの重量計測部位を示す指示機構の指示を視認しうることを特徴とする。
【００６４】
また本発明は、該組み合わせ計量機において、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００６５】
また本発明は、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００６６】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００６７】
また本発明は、該指示機構の灯火がＬＥＤによることを特徴とする。或いは、該選択された最適組み合わせ或いは近似値の範囲に包含される重量組み合わせの重量計測部位を示す指示機構が音声によることを特徴とし、さらに、該選択された最適組み合わせ或いは近似値の範囲に包含される重量組み合わせの重量計測部位を示す指示機構がブザー又はスピーカーであることを特徴とする。
【００６８】
また本発明は、規定重量範囲内の最適組み合わせが存在しない場合であって近似値の範囲に包含される重量組み合わせに係る組み合わせ重量を表示する表示機構が、デジタル表示装置であることを特徴とする。
【００６９】
また本発明は、該重量計測部位に用いる計量皿としてサイズの異なる計量皿を混在して用い、親子計量ができることを特徴とする。
【００７０】
また本発明は、該重量計測部位に用いる計量皿が、形状の異なる計量皿に交換して用いる事ができることを特徴とする。
【００７１】
以上述べてきたように、本発明に係る組み合わせ計量機は、簡便な構成でリアルタイムの動作管理、メンテナンス及び各種サービスの提供が可能な組み合わせ計計量機を実現することにより、計量機の用途を拡大することを可能とし、作業効率を向上させ、個別の農家や小規模の出荷組合等に於いても導入可能となり、作業効率の向上と農家所得の増大に与って効果のあるものとなった。
【産業上の利用可能性】
【００７２】
本発明に係る組み合わせ計量機及び組み合わせ計量機の使用方法は、簡便な構成でリアルタイムの動作管理、メンテナンス及び各種サービスの提供が可能な組み合わせ計計量機を実現し、作業効率を向上させ、産業上の利用可能性は大である。
【符号の説明】
【００７３】
１    サーバ或いはコンピュータ
２    通信手段
３    組み合わせ計量機
【図１】
2018072179.tif 000003